(57)【要約】【課題】犬や猫などのペットを飼主の胸の前に保持した状態で外出するための服であって、服の形が崩れにくく、広さが十分で、ペットが体を反転させやすく、窮屈な思いをしないで済み、ペットの出し入れが自由なペット保持上着服を提供することを目的とする。【解決手段】二重の前身頃４を構成する外側前身頃６と内側前身頃８とが脇及び裾１２で縫い合わされ、外側前身頃６の首周りが縫い合されないで開口１８され凹状に形成される。この開口１８の縁の中央から裾１２の中央まで分割され、この分割部２２をファスナー２４で開閉自在にする。【選択図】図1
0003130940.tif 000002
【実用新案登録請求の範囲】
【請求項１】
ペットを飼主の胸の前に保持するための上着服であって、二重の前身頃と、この二重の前身頃を構成する外側前身頃と内側前身頃とが少なくとも肩、脇、及び裾で縫い合わされた縫合部と、外側前身頃の首周りが縫い合されないで開口され凹状に形成された開口縁と、この開口縁の中央から下方へかけて分割された分割部と、この分割部を開閉自在にするファスナーと、を有することを特徴とするペット保持上着服。
【考案の詳細な説明】
【技術分野】
【０００１】
この考案は、ペットを飼主の胸の前に保持するための上着服の構造に関する。
【背景技術】
【０００２】
犬や猫などのペットを飼主の胸の前に保持した状態で外出することができれば、飼主は両手が自由になり、重宝する。
このような目的のために、すなわち、下記の特許文献１には、リック様のもので体の前にペットを抱く「ペット抱持袋」なるものが記載される。ます。また、インターネットでは下記の非特許文献１のようなペットを入れるためのポケットが前身頃の中央に備えられた服が掲示されている。
【特許文献１】実開平6-75154
【非特許文献１】http://www.rakuten.co.jp/doggyman/155209/410951/
【考案の開示】
【考案が解決しようとする課題】
【０００３】
しかしながら、前記の特許文献１は、飼主は外出のたびにリック様のものを体に装着しなければならず、面倒である。
また、前記の特許文献２は、飼主はペットの重さによりポケットが引っ張られ服の形が大きく崩れてしまうものであった。さらに、ポケットが前身頃の中央に備えられるので、ペットにとってポケットの広さが十分でなく、体を反転させるなどがしにくく、窮屈な思いをし、居心地の悪い感じがあった。また、このポケットは、通常のポケットと同じように上辺部のみが開口され、開口が狭く、ペットの出し入れに不自由であった。
【０００４】
この考案は、以上の問題点を解決するために、服の形が崩れにくく、広さが十分で、ペットが体を反転させやすく、窮屈な思いをしないで済み、ペットの出し入れが自由なペット保持上着服を提供することを目的とする。
【課題を解決するための手段】
【０００５】
以上の課題を解決するために、この考案は、ペットを飼主の胸の前に保持するための上着服であって、二重の前身頃と、外側前身頃の首周りが縫い合されないで開口され凹状に形成された開口縁と、この開口縁の中央から下方へかけて分割された分割部と、この分割部を開閉自在にするファスナーと、を有することを特徴とするペット保持上着服である。
【考案の効果】
【０００６】
この考案は、二重の前身頃の間を利用するので、ペットの重さにより引っ張られた外側前身頃は、内側前身頃と同じく肩、及び脇の縫合部で受け止められるが、縫合部の性質上、服の形が崩れにくい。
また、二重の前身頃の間をいわば全面袋として利用するので、最大限の広さを得ることができ、ペットが体を反転させやすく、窮屈な思いをしないで済む。
【０００７】
また、開口縁の中央から裾の中央まで分割された分割部は、ファスナーによって開閉自在であり、開くと、二重の前身頃の間が殆どすべて開放され、ペットの出し入れが非常に自由になる。  
【考案を実施するための最良の形態】
【０００８】
この考案の実施形態を、図１及び図２に示す。
この実施形態に係るペット保持上着服２は、上半身の下着の上に着る上着である。
前身頃４は二重であり、すなわち外側前身頃６と内側前身頃８とから構成される。内側前身頃８の生地よりも外側前身頃６の生地を丈夫なものにすることもできる。外側前身頃６と内側前身頃８は、脇１０で、後身頃とともに縫い合わされ、また、裾１２、袖ぐり１３、及び肩１５で、互いに縫い合わされる。この縫い合わせにより、縫合部１４は両脇と、裾１２とで、上向きのコの字状になる。これにより外側前身頃６と内側前身頃８との間にいわば全面が大きな袋になった全面１６袋が形成される。
【０００９】
他方、外側前身頃６の首周りは、内側前身頃８とは縫い合されないで、下向きに凹状に、すなわち大きく略Ｕ字状に開口される。この略Ｕ字状の開口１８から、犬や猫などのペット２０は、顔を出したり、上半身を出したりできる。そして、この開口１８の開口縁の中央から裾１２の中央まで分割される。この分割部２２にはファスナー２４が設けられ、開閉自在になる。
【００１０】
「実施形態の効果」
この実施形態によれば、二重の前身頃４の間を利用するので、ペット２０の重さにより引っ張られた外側前身頃６は、肩１５、袖ぐり１３、及び脇１０の縫合部１４で受け止められる。これにより縫合部１４に加えられた引張り力は、内側前身頃８や後身頃により、服を着た飼い主２６の全身により受け止められる。そして、縫合部１４は、糸で縫い合わされ、いわば補強がなされているので、皺になりにくい。すなわち、服の形が崩れにくい。
【００１１】
また、内側前身頃８や後身頃の間をいわば全面袋として利用するので、ペット２０を入れるための最大限の広さを得ることができ、ペット２０が体を反転させやすく、窮屈な思いをしないで済む。
また、外側前身頃６が、略Ｕ字状の開口縁のＵ字中央から、裾１２の中央まで分割された分割部２２は、ファスナー２４によって開閉自在であるので、開くと、内側前身頃８や後身頃で形成される全面袋が、殆どすべて開放されることになる。よって、ペット２０の出し入れが非常に自由になる。
【００１２】
「他の実施形態」
以上の実施形態では、上半身の下着の上に着る上着がペット保持上着服２になったものであったが、他の実施形態では、つなぎ服をペット保持上着服にすることも可能である。つなぎ服であっても、腹部を横断する縫合部が存在し、この部分が実質的な裾になる。
【００１３】
以上の実施形態では、開口縁の凹状は略Ｕ字であったが、この凹状の形状は一定のものに限らず、たとえば略Ｖ字、あるいは上向きのコの字などであってもかまわない。
以上の実施形態では、外側前身頃６と内側前身頃８は、裾１２、脇１０、袖ぐり１３、及び肩１５で、互いに縫い合わされるものであったが、他の実施形態では、袖ぐり１３は縫い合わせずに、裾１２、脇１０、及び肩１５でのみ、互いに縫い合わされるものとしてもよい。
以上の実施形態では、分割部２２は、開口１８の開口縁の中央から下方へかけて裾１２の中央まで長く分割されるが、他の実施形態では、この分割部分を短くしてもよい。すなわち、開口縁の中央から下方へかけて裾１２に達しない部分までを分割し、裾１２は未分割のままにすることもできる。
【図面の簡単な説明】
【００１４】
【図１】この考案の一実施形態に係るペット保持上着服の使用状態の斜視図である。
【図２】図１のペット保持上着服の正面図である。
【符号の説明】
【００１５】
２…ペット保持上着服、４…前身頃、６…外側前身頃、８…内側前身頃、１０…脇、１２…裾、１４…縫合部、１６…全面、１８…開口、２０…ペット、２２…分割部、２４…ファスナー、２６…飼い主。
【図１】
0003130940.tif 000003
【図２】
0003130940.tif 000004